(57)【要約】    【課題】  スイングプレーン理論に基づく理想的なスイングを正しく体得できるようにしたゴルフスイング練習機を提供する。    【解決手段】  ベース(10の支柱(20)にはスイングアーム(70)の基部を旋回軸(30)の廻りに旋回可能にかつ旋回軸の中心軸線の方向に変位し得るように支持し、スイングアームの先端部にはフック(70A)を形成し、スイングアーム及び支柱の一方にはカム(40)を、他方にはカムのカム面と摺接されるローラ(41)を設け、スイングアームを第１のばね部材(30B)によって支柱に対して接近するように付勢する。ゴルフクラブ(80)のシャフトの下端部をスイングアームのフックに係止し、バックスイング時にクラブヘッドがスイングプレーン上を移動するようにスイングアームによってシャフトの動きをガイドし、ダウンスイング時にはシャフト下端部の係止を開放して自由なダウンスイングを許容する。【選択図】  図４
2007229345.tif 000002
【特許請求の範囲】
【請求項１】
クラブヘッドがスイングプレーン上の軌道を移動するスイングを体得できるようにしたゴルフスイング練習機であって、
床面上に載置されるベースと、
該ベースに支持された支柱と、
基部が上記支柱に旋回軸の廻りに旋回可能にかつ上記旋回軸の中心軸線の方向に変位し得るように支持され、先端部にゴルフクラブのシャフトの下端部を係脱可能に係止し得るフックが形成され、上記旋回軸の廻りの旋回によってバックスイング時におけるシャフトの動きをガイドする一方、ダウンスイング時にはシャフト下端部の係止を開放して自由なスイングを許容するスイングアームと、
上記スイングアーム及び支柱の一方に設けられ、バックスイング時にクラブヘッドがスイングプレーン上を移動するようなシャフトの軌道に対応する形状のカム面を有するカムと、
上記スイングアーム及び支柱の他方に設けられ、上記カムのカム面と摺接され、バックスイング時に上記スイングアームの基部を上記旋回軸の中心軸線の方向に変位させることによりシャフトの動きを案内するローラと、
上記スイングアームを上記支柱に対して接近するように付勢する第１のばね部材と、
を備えたことを特徴とするゴルフスイング練習機。
【請求項２】
上記スイングアームの基部はスライダーにスライド可能に支持され、該スライダーは上記支柱に旋回軸の廻りに旋回可能にかつ上記旋回軸の中心軸線に沿って変位し得るように支持され、該スライダーは上記ゴルフクラブのバックスイング時において下方スライドが抑制されるように第２のばね部材によって付勢されている請求項１記載のゴルフスイング練習機。
【請求項３】
上記カムは円筒状をなし、その端面にはゴルフクラブのバックスイングの開始の位置でシャフトが支柱から最も離れる高さから、バックスイングのトップの位置で最も支柱に接近する高さまで連続した形状のカム面が形成されている請求項１記載のゴルフスイング練習機。
【請求項４】
上記スイングアーム又はカムには上記スイングアームの旋回を抑制する第３のばね部材が設けられている請求項１又は３記載のゴルフスイング練習機。
【請求項５】
上記支柱が上記ベースに傾斜角度を調整可能にかつ高さを調整可能に支持されている請求項１記載のゴルフスイング練習機。
【発明の詳細な説明】
【技術分野】
【０００１】
本発明はゴルフスイング練習機に関し、特に正しいスイングを体得できるようにした練習機に関する。
【背景技術】
【０００２】
ゴルフ競技中にゴルフボールが意図する方向に正確に飛球するとともに飛距離が大きく伸びると、次のショットを楽に行え、スコアアップにつながる。
【０００３】
ゴルフボールを正確にしかも遠くに飛球させるスイング理論に、スイングプレーンという考え方がある。これは図６に示されるように、ゴルフプレイヤーの両肩の中心ＣとゴルフボールＢとを結ぶ線Ｃを含み、意図するプレイの線と平行な面をスイングプレーンＳＰとし、このスイングプレーンＳＰ内においてゴルフクラブＧをスイングしたときに、理想的なスイングになるというものである。
【０００４】
そこで、スイングプレーンに沿ってガイドレールを設け、ガイドレールによってゴルフクラブのスイングをガイドすることにより、理想的なスイングを体得できるようにしたスイング練習機が提案されている（特許文献１）。しかし、プレイヤーの体形やクラブの種類によってスイングプレーンやクラブヘッドの軌道が異なり、プレイヤーの体形やクラブの種類に応じたガイドレールを用いる必要があり、煩雑である。
【０００５】
他方、ベースフレームに支柱を傾動可能に設け、この支柱にく字状をなすスイングアームの上端部を支軸の廻りに旋回可能に軸支してスイングアームを垂下させ、スイングアームの下端部に係止部を設けてゴルフクラブのシャフトの下端部を係止させ、ゴルフクラブのスイングをスイングアームの旋回によってガイドするとともに、スイングアームの途中には折曲げ部を支軸と平行な枢支軸の廻りに折曲げ可能に設け、バックスイング時における右手首の折り曲げ、いわゆるコックに起因する身体からクラブヘッドまでの距離の変化をスイングアームを折曲げてスイングアームの有効長さを変化させることによって対応するようにしたスイング練習機が提案されている（特許文献２）。
【０００６】
このスイングアーム式のスイング練習機では支柱の傾斜角度を調整するとともに、スイングアームの折曲げによってプレイヤーの体形やゴルフクラブの種類に対応することができるという利点がある。
【０００７】
【特許文献１】特開２００５−２１８７８４号公報
【特許文献２】特開昭６０−３６０７６号公報
【発明の開示】
【発明が解決しようとする課題】
【０００８】
ところで、プレイヤーのスイングを詳細に検討するに、図６に示されるように、スクエアーに構えた時にはクラブヘッドの打撃フェイスは目標に正対する、即ち意図するプレイの線に対して直交した状態となっている。この状態からバックスイングを開始すると、クラブヘッドの打撃フェイスは次第に開いてトップの位置でほぼ意図するプレイの線に対して平行になる。他方、クラブヘッドのヘッド重心とシャフトの中心との間にはある程度の距離ｘがあるので、バックスイング時におけるシャフトの挙動を見た場合にはスイングプレーン理論で説明されるような単純な平面ＳＰ上の軌道ではなく、バックスイングの開始時には平面ＳＰから離れておりバックスイングに伴って徐々に平面ＳＰに接近して最終的に一致するような軌道ＳＰ’をとるのが理想である。
【０００９】
しかし、特許文献２記載のスイング練習機ではスイングアームによってシャフトがスイングプレーン上を移動するようにガイドしているので、クラブヘッドの挙動がスイングプレーンを的確に反映しておらず、体得したスイングを行うと、ゴルフボールがスイングプレーンからヘッド重心とシャフトの中心間の距離ｘだげずれてしまう。ゴルフボールを打撃する瞬間にたとえ１ｃｍ程度の誤差であっても、ゴルフボールが例えば２００ヤード飛球した場合にはその誤差は非常に大きなものとなる。
【００１０】
本発明はかかる問題点に鑑み、スイングプレーンを的確に反映した軌道でシャフトをスイングして正確にスイングを体得できるようにしたゴルフスイング練習機を提供することを課題とする。
【課題を解決するための手段】
【００１１】
そこで、本発明に係るゴルフスイング練習機は、クラブヘッドがスイングプレーン上の軌道を移動するスイングを体得できるようにしたゴルフスイング練習機であって、床面上に載置されるベースと、該ベースに支持された支柱と、基部が上記支柱に旋回軸の廻りに旋回可能にかつ上記旋回軸の中心軸線の方向に変位し得るように支持され、先端部にゴルフクラブのシャフトの下端部を係脱可能に係止し得るフックが形成され、上記旋回軸の廻りの旋回によってバックスイング時におけるシャフトの動きをガイドする一方、ダウンスイング時にはシャフト下端部の係止を開放して自由なスイングを許容するスイングアームと、上記スイングアーム及び支柱の一方に設けられ、バックスイング時にクラブヘッドがスイングプレーン上を移動するようなシャフトの軌道に対応する形状のカム面を有するカムと、上記スイングアーム及び支柱の他方に設けられ、上記カムのカム面と摺接され、バックスイング時に上記スイングアームの基部を上記旋回軸の中心軸線の方向に変位させることによりシャフトの動きを案内するローラと、上記スイングアームを上記支柱に対して接近するように付勢する第１のばね部材と、を備えたことを特徴とする。
【００１２】
本発明の特徴の１つはクラブヘッドの軌道がスイングプレーン上を移動するようにカムとローラでスイングアームの旋回を案内するようにした点にある。
【００１３】
これにより、クラブヘッドがスイングプレーン上に常に位置するようにシャフトをバックスイングすることができるので、スイングプレーン理論を反映した理想的なスイングを体得することができる。
【００１４】
また、本発明の他の特徴はバックスイング時にのみシャフトの下端部をスイングアームのフックに係止するようにした点にある。
【００１５】
これにより、スイングプレーン理論を正確に反映したバックスイングのトップの位置からそのままダウンスイングすることにより、スイングプレーン理論を反映した正確なダウンスイングを行うことができる。しかも、スイングアームがダウンスイングの動きを干渉することがないので、スイング練習機を使用せずにゴルフボールを打撃する場合と同様なダウンスイングを思い切って行うことができる。
【００１６】
プレイヤーの身体からクラブヘッドまでの有効距離は両肩の中央をスイングの中心と考えると、スクエアーに構えた時とバックスイングのトップの位置とで異なっていることから、スイングアームの有効長さ（旋回軸からスイングアームの先端までの長さ）をスイングに応じて変更できるようにするのが好ましい。
【００１７】
そこで、スイングアームの基部をスライダーにスライド可能に支持し、スライダーを支柱に旋回軸の廻りに旋回可能にかつ旋回軸の中心軸線に沿って変位し得るように支持するのがよい。但し、スイングアームの基部を単にスライドさせるように構成すると、バックスイングのトップの位置に近づいたときにスライダーが急激に下方スライドしてスイングアームの有効長さが短くなりすぎるおそれがあるので、スライダーを第２のばね部材によってゴルフクラブのバックスイング時に下方スライドが抑制されるように付勢するのがよい。
【００１８】
また、スイングの中心を両肩の中間ではなく、胸部の中央と考えると、プレイヤーの身体からクラブヘッドまでの有効距離はスクエアーに構えた時とバックスイングのトップの位置で実質的に同一となる。そこで、スイングの中心が胸部の中央にくるように、カムのカム面の形状を工夫すると、スライダーを設けることなく、理想的なスイングを体得できる。
【００１９】
カムは、バックスイング時にクラブヘッドがスイングプレーン上を移動するようなシャフトの軌道に対応する形状のカム面を有していればよく、例えばカムを円筒状とし、その端面にはゴルフクラブのバックスイングの開始の位置でシャフトが支柱から最も離れる高さから、バックスイングのトップの位置で最も支柱に接近する高さまで連続した形状のカム面を形成することができる。
【００２０】
カムとローラは一方をスイングアーム側に、他方を支柱側に設け、両者の協同によってスイングアームを旋回軸の中心軸線方向に変位させるようにすればよい。
【００２１】
ところで、ドライバーとフェアウェイウッド、さらにはアイアンとではスクエアーに構えるポイントが異なることから、スイングアームは全くフリーに旋回できるようにすると、スイングアームが自重によって垂下すると、ゴルフクラブの種類によってはクラブによってスイングアームを少し旋回させてスクエアーに構える必要が生じることがある。
【００２２】
また、スイングアームは全くフリーに旋回できるようにすると、勢いよくバックスイングした時にスイングアームに働く慣性力によってカムに回転ムラが起こり、不安定なバックスイングになるとともに、スイングアームの先端部のフックからシャフトが不意に外れるおそれがあるとともに、ゴルフクラブがバックスイングのトップの位置を越えてしまうおそれがある。そこで、スイングアームの旋回に対してある程度の抵抗を付与するのが好ましいことから、スイングアーム又はカムにはスイングアームの旋回を抑制する第３のばね部材を設けるのがよい。
【００２３】
また、プレヤーの体格やゴルフクラブの種類に対応できるように、支柱はベースに傾斜角度を調整可能にかつ高さを調整可能に支持するのがよい。
【発明を実施するための最良の形態】
【００２４】
以下、本発明を具体例に基づいて詳細に説明する。図１ないし図５は本発明に係るゴルフスイング練習機の好ましい実施形態を示す。図において、ベースフレーム（ベース）１０は２つの四角形状をなす丸パイプ製のフレームパイプ１０Ａ、１０Ｂを相互に折畳み可能に枢支するとともに、一方のフレームパイプ１０Ｂの上端部にサポートパイプ１０Ｃの上端部を回転可能に支持し、サポートパイプ１０Ｃの下端部を他方のフレームパイプ１０Ａの前端部に係脱可能に係止することによって側面三角形状に組立てられ、地面などに載置できるようになっている。
【００２５】
このベースフレーム１０の他方のフレームパイプ１０Ｂの下端部中央には受けパイプ２０Ａの下端部が取付け金具などによって揺動可能に枢支され、受けパイプ２０Ａの上端部には角度調整用バー２０Ｃの一端が取付けられ、角度調整用バー２０Ｃの他端にはナットが螺進退可能に螺合され、ナットは他方のフレームパイプ１０Ｂの上端部のフックに引っ掛けられて係止されるようになっており、これによって受けパイプ２０Ａの傾斜角度を調整できるようになっている。
【００２６】
この受けパイプ２０Ａには支柱２０の下端部が抜差し可能に差し込まれ、ねじ２０Ｂによって任意の位置に、即ち高さを調整可能に固定できるようになっている。この支柱２０の上端部には筒状のブラケット２０Ｄが横方向に向けて固定され、ブラケット２０Ｄにはパイプ状のブッシュ３０Ａが挿通して固定され、ブッシュ３０Ａには旋回軸３０が回転自在にかつスライド自在に挿通して支持され、旋回軸３０の後端部には座金が挿通されてナットによって抜止めされ、ナットとブラケット２０Ｄとの間には第１のばね部材３０Ｂが縮装されて旋回軸３０が後方に引っ張り付勢されている。
【００２７】
旋回軸３０の先端にはスライダー６０のベース６０Ａが固定され、スライダー６０のベース６０Ａにはカム４０が固定されている。このカム４０は円筒状をなし、円筒の上端縁には底縁から見て上端縁の高い部位から低い部位に向けて滑らかに連続した形状のカム面４０Ａが形成されている。
【００２８】
他方、支柱２０のブラケット２０Ｄの下側にはローラ４１のブラケットが固定され、ローラ４１はカム４０のカム面４０Ａと摺接されており、カム４０が旋回軸３０の廻りに旋回すると、ローラ４１とカム面４０Ａの作用によってスライダー６０のベース６０Ａが旋回軸３０の中心軸線に沿って進退するようになっている。
【００２９】
また、カム４０の外周面の半部には摩擦抵抗の大きいビニルロープ４０Ｃが、他方の半部にはコイルばね（第３のばね部材）４０Ｂが摺接され、ビニルロープ４０Ｃとコイルばね４０Ｂとは相互に環状に連結されている。他方、支柱２０にはブラケットバー４２が立設され、ブラケットバー４２にはフック４３の雄ねじが螺合され、フック４３にはビニルロープ４０Ｃ及びコイルばね４０Ｂの一方の連結部分が引っ掛けられており、これによってカム４０の旋回を制動するようになっている。
【００３０】
スライダー６０はベース６０Ａに固定されたロッド６０Ｇにスライド自在に支持されるとともに、スライダー６０にはピアノ線６０Ｂの一端が固定され、ピアノ線６０Ｂは一対の滑車６０Ｄの下端に掛け渡され、又一方の滑車６０Ｄはベース６０Ａのロッド６０Ｇに取付けられ、他方の滑車６０Ｄはロッド６０Ｆにスライド自在に支持されるとともに、ロッド６０Ｆの端部と他方の滑車６０Ｄの間には第２のばね部材６０Ｅが張架されており、スライダー６０の下方スライドが抑制されるようになっている。
【００３１】
また、スライダー６０には受け部が形成され、受け部にはスイングアーム７０の基部が差し込まれ、ねじ６０Ｃによって固定されるようになっている。このスイングアーム７０はほぼＪ字状をなす、スイングアーム７０の先端部にはＵ字状のフック７０Ａが折り曲げて形成され、フック７０Ａにはゴルフクラブ８０のクラブヘッドとシャフトの連結部位であるネック又はホーゼルが係脱可能に係止されるようになっている。
【００３２】
ゴルフクラブのスイングを練習する場合、図１に示されるように、スイングアーム７０のフック７０Ａにゴルフクラブ７０のホーゼル又はネックを引っ掛けて係止するとともに、スイングアーム７０を下方に垂下させた姿勢とする。このとき、スライダー６０は自重によって第２のばね部材６０Ｅを伸長させてスライドし、ベース６０Ａのロッド６０Ｇの基部近傍に位置している。
【００３３】
スイングの練習者は練習機の前方に立ち、スイングアーム７０の下端フック７０Ａの直前方にゴルフボールがあると想定してスクエアーに構えるが、ビニルロープ４０Ｃとコイルばね４０Ｂによってカム４０の旋回に適度の制動が与えられているので、スイングアーム７０を前方又は後方に少し旋回させてゴルフクラブの種類に応じた理想的な姿勢を無理なく構えることができる。
【００３４】
その姿勢からゴルフクラブ８０をバックスイングする。すると、スライダー６０のベース６０Ａが旋回軸３０の廻りに旋回し始め、カム４０も旋回軸３０の廻りに旋回し始め、カム４０のカム面４０Ａがローラ４１と摺接し、ローラ４１は第１のばね部材３０Ｂの付勢力に抗して相対的にカム面の高い位置から低い位置に向けて移動し、ゴルフクラブ８０のバックスイングに伴ってスライダー６０のベース６０Ａを旋回軸３０の中心軸線に沿って支柱２０に接近する方向に変位させる。
【００３５】
これにより図２に示されるように、スイングの練習者が右手首をコックし、打撃フェイスが開き始めたときにもクラブヘッドの重心はスイングプレーン上に位置し、さらにトップの位置に向けてバックスイングを行い、打撃フェイスが意図するプレイの線の方向に平行となったときにもクラブヘッドの重心はスイングプレーン上に位置し、図３に示されるようにトップの位置までバックスイングできることとなる。
【００３６】
クラブヘッドがトップの位置まで来ると、ローラ４１がカム面４０Ａの最も低い位置に摺接することとなり、ローラ４１が最も低い位置から高い位置に向けて摺接しようとすると、第１のばね部材３０Ｂを伸長させる必要があり、これがカム４０の旋回抵抗となるので、クラブヘッドがトップの位置をむやみに越えてしまうことはない。
【００３７】
スライダー６０のベース６０Ａが旋回軸３０の高さより低い位置まで旋回すると、スライダー６０は第２のばね部材６０Ｅの付勢力に抗して徐々にベース６０Ａの基部から離れる方向にスライドし、旋回軸３０とスイングアーム７０のフック７０Ａとの間の距離が小さくなり、バックスイングのトップの位置では距離が最も小さくなる。これにより、バックスイング時における練習者の身体とクラブヘッドとの間の有効距離の変化に対応してスイングアーム７０の有効長さが変化することとなる。
【００３８】
また、カム４０の外周面には摩擦抵抗の大きいビニルロープ４０Ｃとコイルばね４０Ｂが接触され、バックスイング時にはカム４０の旋回を弱いながらも制動するので、カム４０は安定に回転し、スイングアームに働く慣性力によってバックスイングのトップの位置を大きく越えてしまうことはない。
【００３９】
次に、スイングの練習者が図３に示されるトップの位置からダウンスイングを行うと、ビニルロープ４０Ｃ及びコイルばね４０Ｂによってカム４０の旋回に弱い制動が加わるので、ゴルフクラブ８０のホーゼル又はネックはスイングアーム７０のフック７０Ａから簡単に抜け出し、ゴルフクラブ８０をダウンスイングできる。
【００４０】
このとき、クラブヘッドのトップの姿勢はスイングアーム７０によってスイングプレーン理論に基づく理想的な位置に正確にコントロールされているので、ゴルフクラブを素直にダウンスイングすると、理想的なダウンスイングとなり、後はフォロースルーを行うと、全体として理想的なスイングを行うことができる。
【００４１】
ダウンスイングからフォロースルーにかけては上述のようにゴルフクラブがフリーにスインクされ、ゴルフクラブは練習者の身体の廻りに回転する。このとき、ゴルフクラブ８０がスイングアーム７０に衝突するおそれがあるのは好ましくない。
【００４２】
本例のスイング練習機ではカム４０のカム面４０Ａの形状によってスイングアーム７０をトップの位置に停止させるとともに、ビニルロープ４０Ｃ及びコイルばね４０Ｂによってカム４０の旋回、従ってスイングアーム７０の旋回に弱い制動を付与することにより、スイングアーム７０をバックスイングのトップの位置に保持するとともに、スイングアーム７０の形状をほぼＪ字状に製作しているので、ゴルフクラブ７０をバックスイングのトップの位置からフリーにダウンスイングしフォロースルーを行ってもゴルフクラブ８０がスイングアーム７０と衝突することはなく、安全性を確保できる。
【００４３】
従って、上述のような一連のスイング練習を繰り返すことによって理想的なスイングを体得できることとなる。
【００４４】
また、クラブヘッドに近いシャフトの下端部をスイングアーム７０の下端フック７０Ａに係止させ、バックスイングをコントロールするようにしたので、オンプレーンスイングにより近づき、理想的なスイングを正確に体得できる。
【００４５】
練習者の体形や用いるゴルフクラブの種類に応じてねじ６０Ｃを緩めてスイングアーム７０の長さを調整し、又角度調整用バー２０Ｃの長さを変化させて支柱２０の傾斜角度を調整することにより、練習者の体形やゴルフクラブの種類に対応して理想的なスイングを体得できる。
【図面の簡単な説明】
【００４６】
【図１】本発明に係るゴルフスイング練習機の好ましい実施形態におけるスクエアーに構えた状態を示す図てある。
【図２】上記実施形態におけるバックスイングの途中の状態を示す図である。
【図３】上記実施形態におるバックスイングのトップの状態を示す図である。
【図４】上記実施形態におけるスライダー、ベース及びスイングアームの関係を示す図である。
【図５】上記実施形態におけるカム及びローラの関係を示す図である。
【図６】スイングプレーン理論を説明するための図である。
【符号の説明】
【００４７】
１０        ベースフレーム（ベース）            ２０        支柱
３０        旋回軸                              ３０Ｂ      第１のばね部材
４０        カム                                ４０Ａ      カム面
４１        ローラ                              ６０        スライダー
６０Ａ      ベース                              ６０Ｅ      第２のばね部材
７０        スイングアーム                      ７０Ａ      フック
８０        ゴルフクラブ
【図１】
2007229345.tif 000003
【図２】
2007229345.tif 000004
【図３】
2007229345.tif 000005
【図４】
2007229345.tif 000006
【図５】
2007229345.tif 000007
【図６】
2007229345.tif 000008